(57)【要約】      （修正有）【課題】撮像装置に複数の記録媒体を搭載する場合、現在どの記録媒体にアクセスしているかを示す情報をコストアップなしで、かつ表示内容の意味を容易に理解可能として、使い勝手を向上させる。【解決手段】画像表示手段の近傍に記録媒体を装填する記録媒体装填手段を設け、その記録媒体の情報を記録媒体の近傍で、かつ、画像表示手段上に表示する。【選択図】図１
2013187721.tif 000002
【特許請求の範囲】
【請求項１】
画像表示手段（３）と、前記画像表示手段（３）の近傍に配置された、記録媒体（１０）（１１）を着脱可能に装填する複数の記録媒体装填手段（４）（５）とをもつ撮像装置において、前記画像表示手段（３）上であって、かつ、前記記録媒体装填手段（４）（５）の近傍に前記記録媒体（１０）（１１）に関する情報（１２）（１３）を表示する事を特徴とする撮像装置。
【請求項２】
画像表示手段（３）に表示される記録媒体（１０）（１１）の情報（１２）（１３）は、記録媒体装填手段（４）（５）に装填された記録媒体（１０）（１１）の画像表示手段（３）への投影面積内に、その一部、又は全部が重なっていることを特徴とする請求項１に記載の撮像装置。
【請求項３】
画像表示手段（３）に表示される記録媒体（１０）（１１）の情報（１２）（１３）は、記録媒体（１０）（１１）へのアクセス情報であることを特徴とする請求項１に記載の撮像装置。
【請求項４】
画像表示手段（３）に表示される記録媒体（１０）（１１）の情報（１２）（１３）は、記録媒体（１０）（１１）の残量情報（１２）（１３）であることを特徴とする請求項１に記載の撮像装置。
【請求項５】
記録媒体装填手段（４）（５）は画像表示手段（３）の制御基板（１７）上に実装されていることを特徴とする請求項１に記載の撮像装置。
【発明の詳細な説明】
【技術分野】
【０００１】
本発明は複数の記憶媒体の配置とその情報表示位置制御に関する。
【背景技術】
【０００２】
近年、撮像装置の記憶媒体として小型のメモリーカードなどを採用している例がある。また、映像の高画質化も進んでいて、それに伴いデータ量が増大している現状がある。このような事態に対応するため、小型のメモリーカードを複数搭載する機器も出始めている。
【０００３】
ところがメモリーカードを複数搭載したために、カードごとの情報をカード個数に合わせて複数表示しなければならなかった。
【０００４】
このような問題に対して従来は、どのカードにアクセスしているかを安価に、かつ、容易に確認するために、単一の表示手段の表示形態を制御する手段が提案されている（特許文献１参照）。
【先行技術文献】
【特許文献】
【０００５】
【特許文献１】特開２００５−３４８３７７号公報
【発明の概要】
【発明が解決しようとする課題】
【０００６】
しかしながら上述したような従来技術では
１）アクセス情報を表示するための表示手段が別途必要になりコストアップとなる。
２）表示内容の意味がわからないとどのカードの情報なのか判断がしづらいため、操作性が劣る。
という問題点があった。
【課題を解決するための手段】
【０００７】
上記課題を解決するための手段として
１）  画像表示手段と、前記画像表示手段の近傍に配置された、記録媒体を着脱可能に装填する複数の記録媒体装填手段とをもつ撮像装置において、前記画像表示手段上であって、かつ、前記記録媒体装填手段の近傍に前記記録媒体に関する情報を表示する事を特徴とする撮像装置。
２）  １）に記載の撮像装置において、画像表示手段に表示される記録媒体の情報は、記録媒体装填手段に装填された記録媒体の画像表示手段への投影面積内に、その一部、又は全部が重なっていることを特徴とする撮像装置。
３）  １）に記載の撮像装置において、画像表示手段に表示される記録媒体の情報は、記録媒体へのアクセス情報であることを特徴とする撮像装置。
４）  １）に記載の撮像装置において、画像表示手段に表示される記録媒体の情報は、記録媒体の残量情報であることを特徴とする撮像装置。
５）  １）に記載の撮像装置において、記録媒体装填手段は画像表示手段の制御基板上に実装されていることを特徴とする撮像装置。
の提供を行う。
【発明の効果】
【０００８】
以上説明したように本発明によれば、複数のメモリーカードの情報がそれぞれの近傍で、かつ、映像表示デバイス上に表示されるため、メモリーカード別の情報の把握が容易であり、操作性が向上し、かつ、メモリーカードへのアクセス状態を知らせるアクセスランプとメモリーカードコネクタを実装するための基板を別途設ける必要が無いのでコストダウンが可能となる、という効果がある。
【図面の簡単な説明】
【０００９】
【図１】本発明による第１の実施例を表した撮像装置の後方外観斜視図
【図２】本発明による第１の実施例を表した撮像装置の外観図
【図３】本発明による第１の実施例を表した撮像装置の前方外観斜視図
【図４】本発明による第１の実施例を表した撮像装置の断面図
【図５】本発明による第１の実施例のブロック図
【図６】本発明による第１の実施例のフローチャート
【図７】本発明による第２の実施例を表した撮像装置の外観斜視図
【図８】本発明による第２の実施例を表した撮像装置の外観斜視図
【図９】本発明による第２の実施例のフローチャート
【発明を実施するための形態】
【００１０】
［実施例１］
図１から図６は本発明の第１の実施例をもっともよく表した図で、図１から図４は撮像装置本体の外観図、および部分断面図であり、図５はブロック図、図６はフローチャートである。
【００１１】
図１より、１は撮像装置本体、３は液晶パネルなどの映像表示デバイスであり２の画像表示装置筐体内に固定されていて、撮像レンズ９を通して得た映像、または撮像装置本体１に格納された記録媒体のデータ、またはメモリーカード１０，１１に記録されたデータを映し出すことができる。  このとき、１０はＧと言うメモリーカード、１１はＨと言うメモリーカードである。
【００１２】
メモリーカード１０は画像表示装置筐体２に設けられた穴２０を通して、画像表示装置筐体２内に設定されたメモリーカードコネクタ４に装填される。また、メモリーカード１１は画像表示装置筐体２に設けられた穴２１を通して、画像表示装置筐体２内に設定されたメモリーカードコネクタ５に装填される。
【００１３】
次に、６は画像表示装置筐体２と撮像装置本体１を２軸方向に回転自在に連結するヒンジ部であり、７と８はヒンジ部６に設定された回転軸である。画像表示装置筐体２は、回転軸７によって矢印Ａ方向に回転可能であり、回転軸８によって矢印Ｂ方向に回転可能である。
【００１４】
さらに、１２は映像表示デバイス３に表示されるメモリーカード１０についての情報であり、１３はメモリーカード１１に付いての情報である。
【００１５】
ここで図２は、図１の映像表示デバイス３をその垂直方向から見た図であるが、メモリーカード情報１２は、メモリーカードコネクタ４に装填されたメモリーカード１０の投影面積上に、その一部、又は全部がかかるように表示される。さらに、メモリーカード情報１３についても同様に、メモリーカードコネクタ５に装填されたメモリーカード１１の投影面積上に、その一部、又は全部がかかるように表示される。
【００１６】
このとき、メモリーカード情報１２，１３にはそれぞれ、記録媒体１０，１１へのアクセスの有無や、残量などの情報が表示される。
【００１７】
さらに図３は、画像表示装置筐体２を図１の状態から回転軸８を中心に矢印Ｂ方向に１８０度回転させたときの撮像装置本体１を、撮像レンズ９の方向から見た斜視図である。このとき、画像表示装置筐体２が回転したことは不図示の検出スイッチが検出する。続いて、画像表示装置筐体２に対する映像表示デバイス３に表示されている映像は、図１の状態から上下が反転した映像となるが、各メモリーカード１０，１１についての情報１２，１３は、各メモリーカードとの表示位置関係を保ちながら、情報表示のみが天地が逆転するように回転する。
【００１８】
次に、図４は図１の画像表示装置筐体２を縦に分割した断面図であり、メモリーカードコネクター４，５の断面が確認できるように切断している。
【００１９】
図４より、１６はバックライト、１７は回路基板であり、バックライト１６はその発光した光が映像表示デバイス３を透過するように配置される。また、回路基板１７には、映像表示デバイス３やバックライト１６、を制御する回路が構成されていて、映像表示デバイス３やバックライト１６と回路基板１７との間では、不図示のフレキシブル配線基板（ＦＰＣ）や電線などによって電気信号の送受信が行われている。このとき、回路基板１７にはメモリーカードコネクタ４，５が実装されている。
【００２０】
回路基板１７から撮像装置本体１へは、不図示のフレキシブル配線基板（FPC）や電線などによって電気信号の送受信が行われている。
【００２１】
以上の撮像装置本体１内部の信号の流れを図５のブロック図で説明する。
【００２２】
撮像レンズ（１０１）を通った入射光が撮像部（１０２）に到達すると、入射した光は電気信号に変換され信号処理部（１０３）に送られ、システムコントローラー（１０６）に送信される。そして、システムコントローラー（１０６）は信号処理部（１０３）から得られた情報をもとにレンズ制御部（１０４）に指示を出し焦点距離を算出し、撮像レンズ（１０１）の制御を行う。こうして得られた映像信号をもとにシステムコントローラー（１０６）は表示信号処理部（１０９）に画像表示のための信号を送り映像表示デバイス（１１０）にその情報を送信する。
【００２３】
また、システムコントローラー（１０６）からは処理信号を記録するためのメモリーカード（１０８）に対しても信号を送っている。
【００２４】
またさらに、映像表示デバイス(１１０)が回転しているかどうかを回転検出スイッチ（１１３）で検出し、その信号をシステムコントローラー（１０６）に送信する。これによってシステムコントローラー（１０６）は映像表示デバイス（１１０）が回転したことを表示信号処理部（１０９）に伝える。
【００２５】
表示信号処理部（１０９）では、システムコントローラー（１０６）から送られてきた画像信号にメモリーカードの情報を付加する処理を行っているが、前記のように映像表示デバイス(１１０)が回転したと言う情報を得たときには、映像表示デバイス（１１０）に送信する映像信号の上下を反転させ、メモリーカードの情報に付いては、各メモリーカードとの表示位置関係を保ちながら、情報表示のみを天地が逆転するような回転処理をする。
【００２６】
以上の流れを次に図６に示すフローチャートで説明する。
【００２７】
映像表示信号処理ルーチン（Ｓ１０）より、まず映像表示デバイスの回転検出スイッチが反応しているかどうかを検出する（Ｓ１１）。
【００２８】
ここで、回転検出スイッチが反応するのは、映像表示デバイスが所定角度内であった場合であり、このときの所定角度とは、例えば図１の状態を０°とすると、１５０°〜２１０°近辺に設定することが多い。
【００２９】
次に、検出スイッチが反応している場合には、映像表示信号の上下を反転させる処理する（Ｓ１２）。そこに、メモリーカードとの位置関係を保った上で、表示情報のみを天地が逆転するような回転処理をする（Ｓ１３）。
【００３０】
以上説明したように、複数のメモリーカードの情報がそれぞれの近傍で、かつ、映像表示デバイス上に表示されるため、メモリーカード別の情報の把握が容易であり、操作性が向上し、かつ、メモリーカードへのアクセス状態を知らせるアクセスランプとメモリーカードコネクタを実装するための基板を別途設ける必要が無いのでコストダウンが可能となる。
【００３１】
さらに、映像表示デバイス上にタッチパッドなどの情報入力手段を配するなどすることで、希望するメモリーカードを映像表示デバイス上で容易に選択できるため、機器の操作性を向上させることも可能である。
【００３２】
［実施例２］
図７、８、９は本発明の第２の実施例を表した図であり、図９はフローチャートである。
【００３３】
図７（ａ）より、３１は撮像装置本体、３３は液晶パネルなどの映像表示デバイスであり３２の画像表示装置筐体内に固定されていて、撮像レンズ３９を通して得た映像、または撮像装置本体３１に格納された記録媒体のデータ、またはメモリーカード３４，３５に記録されたデータを映し出すことができる。
【００３４】
次に、３６は画像表示装置筐体３２と撮像装置本体３１を回転自在に連結するヒンジ部であり、３８はヒンジ部３６に設定された回転軸である。画像表示装置筐体３２は、回転軸３８によって矢印Ｂ方向に回転可能である。
【００３５】
ここで、４２は映像表示デバイス３３に表示されるメモリーカード３４についての情報であり、４３はメモリーカード３５に付いての情報である。
【００３６】
また、５０は第２の映像表示部であり、この部分を覗くと図７（ｂ）のように小型の映像表示デバイス５３を見ることができる。ここで、５２は映像表示デバイス５３に表示されるメモリーカード３４についての情報であり、５３はメモリーカード３５に付いての情報である。
【００３７】
ところで画像表示装置筐体３２は回転軸３８を中心に矢印Ｂ方向に回転させることができる。図７（ａ）の状態から画像表示装置筐体３２を１８０度回転させると図８（ａ）の状態になる。このように画像表示装置筐体３２が回転したことは不図示の検出スイッチが検出する。
【００３８】
ところがこのように画像表示装置筐体３２が回転すると、メモリーカードの上下の位置関係が変化する。上記の不図示の回転検出スイッチが画像表示装置３２の回転を検出すると、図８（ｂ）のように小型の映像表示デバイス５３に表示されるメモリーカード情報の位置関係も変化する。
【００３９】
このように、第２の映像表示部内でのメモリーカード情報は、実際のメモリーカードの位置関係と同じになるように表示されている。
【００４０】
以上の流れを次に図９に示すフローチャートで説明する。
【００４１】
映像表示信号処理ルーチン（Ｓ２０）より、まず映像表示デバイスの回転検出スイッチが反応しているかどうかを検出する（Ｓ２１）。
【００４２】
ここで、回転検出スイッチが反応するのは、映像表示デバイスが所定角度内であった場合であり、このときの所定角度とは、例えば図７（ａ）の状態を０°とすると、１５０°〜２１０°近辺に設定することが多い。
【００４３】
次に、検出スイッチが反応している場合には、映像表示信号の上下を反転させる処理する（Ｓ２２）。そこに、メモリーカードとの位置関係を保った上で、表示情報のみを天地が逆転するような回転処理をする（Ｓ２３）。
【００４４】
さらに、小型の映像表示デバイス上のメモリーカード情報を実際のメモリーカードの位置関係と同じになるような表示位置関係の信号処理をする（Ｓ２４）。
【００４５】
以上説明したように、複数のメモリーカードが回転や移動でその位置関係が変化したときには、第２の映像表示デバイス上の表示もそれに合わせて変化するため、さらにメモリーカード別の情報の把握が容易となる。
【符号の説明】
【００４６】
１、３１  撮像装置本体
２、３２  画像表示装置筐体
３、３３、５３  映像表示デバイス
４、５  メモリーカードコネクタ
６、３６  ヒンジ部
７、８，３８  ヒンジの回転中心
９、３９  撮像レンズ
１０、１１、３４，３５  メモリーカード
１２、１３、４２，４３，５１，５２  カード情報
１６  バックライト
１７  配線基板
２０、２１  穴
５０  第２の映像表示部
【図１】
2013187721.tif 000003
【図２】
2013187721.tif 000004
【図３】
2013187721.tif 000005
【図４】
2013187721.tif 000006
【図５】
2013187721.tif 000007
【図６】
2013187721.tif 000008
【図７】
2013187721.tif 000009
【図８】
2013187721.tif 000010
【図９】
2013187721.tif 000011